(57)【要約】【課題】一つのダクトにて給気と排気を同時に行う場合は、経路が複雑となり、十分な換気量が得られないという課題があり、簡易な送風経路で分割することで十分な風量を得ることを目的としている。【解決手段】室内外を連通させる円筒状の開口部２８に室内側から挿入して装着する円筒状の風洞３を備え、前記風洞３内に給気経路と排気経路を備え、前記給気経路の中に給気羽根車を備え、前記排気経路または前記給気経路のどちらかに前記給気羽根車９を回転させる給気駆動用モータ１２を備えて、更に前記排気経路の中に排気羽根車６と前記排気経路または前記給気経路のどちらかに排気駆動用モータ８を備えて、同時に給気と排気を行うことができるものであり、給気と排気を同時に満足できる換気機能をダクトの中に埋め込むことで、室内側の寸法を小さく、かつ薄くでき、施工を簡易にするという作用を有する。【選択図】図１
2008151407.tif 000002
【特許請求の範囲】
【請求項１】
室内外を連通させる円筒状の開口部に室内側から挿入して装着する円筒状の風洞を備え、前記風洞内に給気経路と排気経路を備え、前記給気経路の中に給気羽根車を備え、前記排気経路または前記給気経路のどちらかに前記給気羽根車を回転させる給気駆動用モータを備えて、更に前記排気経路の中に排気羽根車と前記排気経路または前記給気経路のどちらかに排気駆動用モータを備えて、同時に給気と排気を行うことができる換気装置。
【請求項２】
給気羽根車と排気羽根車の回転の中心軸が同軸となる請求項１記載の換気装置。
【請求項３】
風洞内を二重管の構成となるように外周風路と内周風路に分割して、前記外周風路を通風する風量を前記内周風路を通風する風量と同等以上にした請求項１または２に記載の換気装置。
【請求項４】
給気部と排気部のうち、少なくとも一方は送風量を可変することができる請求項１から３のいずれかに記載の換気装置。
【請求項５】
室内側の給気経路の給気口と室内側の排気経路の排気口の空気の流入方向が直交する構成とし、給気と排気の短絡を防ぐ構成とした請求項１から４のいずれかに記載の換気装置。
【請求項６】
壁面が換気装置よりも厚い場合は、前記換気装置の室外側には、円筒状の開口部に挿入する外側の外風路を外周管と内周管で形成し、内側の内風路を前記内周管で形成した二重管を装着して延長する構成とした請求項１から５のいずれかに記載の換気装置。
【請求項７】
二重管を一定の長さの間で短くする、または長くすることができる伸縮自在管の構成とした請求項１から６のいずれかに記載の換気装置。
【請求項８】
室内側の給気経路の給気口に給気フィルターを備え、室内側の排気経路の排気口に排気フィルターを備えた請求項１から７のいずれかに記載の換気装置。
【請求項９】
給気駆動用モータと排気駆動用モータのそれぞれの電気配線を連結する接合部を換気装置の本体内部に設けた請求項１から８のいずれかに記載の換気装置。
【請求項１０】
外気温度を検知する外気温検知手段と室内温度を検知する室内温検知手段とを備え、前記外気温検知手段と前記室内温検知手段から検出した外気温度と室内温度を読み取り運転条件を制御する制御部を備え、外気温度が定められた基準温度以上であり、外気温度が室内温度よりも所定の温度以上低い場合は、外気を取り込む給気部の風量を増加させる構成とした請求項１から４のいずれか、または９に記載の換気装置。
【請求項１１】
外気温度を検知する外気温検知手段と室内温度を検知する室内温検知手段とを備え、前記外気温検知手段と前記室内温検知手段から検出した外気温度と室内温度を読み取り運転条件を制御する制御部を備え、外気温度が定められた基準温度以下であり、外気温度が室内温度よりも所定の温度以上高い場合は、外気を取り込む給気部の風量を増加させる構成とした請求項１から４のいずれか、または９または１０に記載の換気装置。
【請求項１２】
室内の臭いを検知する臭いセンサを備え、臭いの度合いを読み取り運転条件を制御する制御部を備え、一定値以上の臭いの度合いを読み取った場合は、排気部の風量を増加させる構成とした請求項１から１１のいずれかに記載の換気装置。
【請求項１３】
室内に在籍する人を検知する人感センサを備え、前記人感センサからの信号を受けて、人の在席により運転条件を制御する制御部を備え、人の在席を確認できた場合にのみ、排気部または給気部の風量を増加させる構成とした請求項１から１２のいずれかに記載の換気装置。
【請求項１４】
周囲の明るさを検知する照度センサを備え、部屋の明るさを検知することで運転条件を制御する制御部を備え、一定値以上周囲が暗くなった場合にのみ、給気部の風量を増加させる構成とした請求項１から１３のいずれかに記載の換気装置。
【発明の詳細な説明】
【技術分野】
【０００１】
本発明は、居室等の室内環境を換気装置により２４時間常時換気を伴って冷房および暖房を行う換気装置に関するものである。
【背景技術】
【０００２】
従来、この種の換気装置は、同時給排気を実施する方式のものが知られている（例えば、特許文献１参照）。
【０００３】
以下、その換気装置の一例について図１３を参照しながら説明する。
【０００４】
図１３に示すように、室内側に排気用吸込口１０１が設けられ排気用プロペラファン用の駆動モーター１０２により回転駆動される排気用プロペラファン１０３と、排気用プロペラファン１０３の吐出側端部付近から排気用プロペラファン１０３の回転軸方向に対して直交する２つのほぼ平行、かつ排気用プロペラファン１０３の羽根外径より大きな面の間に形成された排気用遠心ディフューザー風路１０４と、排気用遠心ディフューザー風路１０４から室外側へ空気を吹出す排気用吹出風路１０５と、室外側に給気用吸込口１０６が設けられ給気用プロペラファン用の駆動モーター１０７により回転駆動される給気用プロペラファン１０８と、給気用プロペラファン１０８の吐出側端部付近から給気用プロペラファン１０８の回転軸方向に対して直交する２つのほぼ平行、かつ給気用プロペラファン１０８の羽根外径より大きな面の間に形成された給気用遠心ディフューザー風路１０９と、給気用遠心ディフューザー風路１０９から室内側へ空気を吹出す給気用吹出風路１１０とを備えた構成となっている。
【０００５】
これにより、室内の汚れた空気を排気用プロペラファン１０３により排気し、室外の新鮮な空気を給気用プロペラファン１０８により給気をする給排同時換気扇を実現する構成となっている。
【特許文献１】特開２００２ー２６６７９１号公報
【発明の開示】
【発明が解決しようとする課題】
【０００６】
このような従来の換気装置では、風量を多く必要とする場合は、壁面に大きな換気装置の本体を設置する必要があり、居住者に圧迫感があるという課題があり、また限られた直径のダクトにて給気と排気を同時に行う場合は、給気と排気を分割した経路が複雑であり、十分な換気量が得られないという課題がある。
【０００７】
本発明は、このような従来の課題を解決するものであり、換気装置の主要部分をダクトの中に埋め込むことができ、室内側には室内側と連通するための給気口と排気口のみを設置することで、居住者の圧迫感を低減することができ、また給気と排気を簡易な送風経路で分割しているため、限られた直径のダクトによる給気と排気を行っても十分な風量を得ることができることができる換気装置を提供することを目的としている。
【課題を解決するための手段】
【０００８】
本発明の換気装置は、上記目標を達成するため室内外を連通させる円筒状の開口部に室内側から挿入して装着する円筒状の風洞を備え、前記風洞内に給気経路と排気経路を備え、前記給気経路の中に給気羽根車を備え、前記排気経路または前記給気経路のどちらかに前記給気羽根車を回転させる給気駆動用モータを備えて、更に前記排気経路の中に排気羽根車と前記排気経路または前記給気経路のどちらかに排気駆動用モータを備えて、同時に給気と排気を行うことができることを特徴とする。
【０００９】
そして、本発明によれば換気装置の主要部分をダクトの中に埋め込むことができ、室内側には室内側と連通するための給気口と排気口のみを設置することで、居住者の圧迫感を低減するとともに給気と排気を簡易な送風経路で分割しているため、限られた直径のダクトによる給気と排気を行っても十分な風量を得ることができることができる換気装置が得られる。
【００１０】
また、給気羽根車と排気羽根車の回転の中心軸が同軸となることを特徴とする。
【００１１】
また、風洞内を二重管の構成となるように外周風路と内周風路に分割して、前記外周風路を通風する風量を前記内周風路を通風する風量と同等以上にしたことを特徴とする。
【００１２】
また、給気部と排気部のうち、少なくとも一方は送風量を可変することができることを特徴とする。
【００１３】
また、室内側の給気経路の給気口と室内側の排気経路の排気口の空気の流入方向が直交する構成とし、給気と排気の短絡を防ぐ構成としたことを特徴とする。
【００１４】
また、壁面が換気装置よりも厚い場合は、前記換気装置の室外側には、円筒状の開口部に挿入する外側の外風路を外周管と内周管で形成し、内側の内風路を前記内周管で形成した二重管を装着して延長する構成としたことを特徴とする。
【００１５】
また、二重管を一定の長さの間で短くする、または長くすることができる伸縮自在管の構成としたことを特徴とする。
【００１６】
また、室内側の給気経路の給気口に給気フィルターを備え、室内側の排気経路の排気口に排気フィルターを備えたことを特徴とする。
【００１７】
また、給気駆動用モータと排気駆動用モータのそれぞれの電気配線を連結する接合部を換気装置の本体内部に設けたことを特徴とする。
【００１８】
また、外気温度を検知する外気温検知手段と室内温度を検知する室内温検知手段とを備え、前記外気温検知手段と前記室内温検知手段から検出した外気温度と室内温度を読み取り運転条件を制御する制御部を備え、外気温度が定められた基準温度以上であり、外気温度が室内温度よりも所定の温度以上低い場合は、外気を取り込む給気部の風量を増加させる構成としたことを特徴とする。
【００１９】
また、外気温度を検知する外気温検知手段と室内温度を検知する室内温検知手段とを備え、前記外気温検知手段と前記室内温検知手段から検出した外気温度と室内温度を読み取り運転条件を制御する制御部を備え、外気温度が定められた基準温度以下であり、外気温度が室内温度よりも所定の温度以上高い場合は、外気を取り込む給気部の風量を増加させる構成としたことを特徴とする。
【００２０】
また、室内の臭いを検知する臭いセンサを備え、臭いの度合いを読み取り運転条件を制御する制御部を備え、一定値以上の臭いの度合いを読み取った場合は、排気部の風量を増加させる構成としたことを特徴とする。
【００２１】
また、室内に在籍する人を検知する人感センサを備え、前記人感センサからの信号を受けて、人の在席により運転条件を制御する制御部を備え、人の在席を確認できた場合にのみ、排気部または給気部の風量を増加させる構成としたことを特徴とする。
【００２２】
また、周囲の明るさを検知する照度センサを備え、部屋の明るさを検知することで運転条件を制御する制御部を備え、一定値以上周囲が暗くなった場合にのみ、給気部の風量を増加させる構成としたことを特徴とする。
【発明の効果】
【００２３】
本発明によれば室内外を連通させる円筒状の開口部に室内側から挿入して装着する円筒状の風洞を備え、前記風洞内に給気経路と排気経路を備え、前記給気経路の中に給気羽根車を備え、前記排気経路または前記給気経路のどちらかに前記給気羽根車を回転させる給気駆動用モータを備えて、更に前記排気経路の中に排気羽根車と前記排気経路または前記給気経路のどちらかに排気駆動用モータを備えて、同時に給気と排気を行うことができることにより換気装置の寸法を小さく、かつ薄くすることで、部屋の空間に対する換気装置の圧迫感を解消することができ、大風量の給気または排気を設置することで、外気冷気を部屋に入れたり、部屋の臭いを排気することができるという効果のある換気装置を提供できる。
【００２４】
また、給気羽根車と排気羽根車の回転の中心軸が同軸となることにより同様の効果のある換気装置を提供できる。
【００２５】
また、風洞内を二重管の構成となるように外周風路と内周風路に分割して、前記外周風路を通風する風量を前記内周風路を通風する風量と同等以上にしたことにより同様の効果のある換気装置を提供できる。
【００２６】
また、給気部と排気部のうち、少なくとも一方は送風量を可変することができることにより同様の効果のある換気装置を提供できる。
【００２７】
また、室内側の給気経路の給気口と室内側の排気経路の排気口の空気の流入方向が直交する構成とし、給気と排気の短絡を防ぐ構成としたことにより同様の効果のある換気装置を提供できる。
【００２８】
また、壁面が換気装置よりも厚い場合は、前記換気装置の室外側には、円筒状の開口部に挿入する外側の外風路を外周管と内周管で形成し、内側の内風路を前記内周管で形成した二重管を装着して延長する構成としたことにより同様の効果のある換気装置を提供できる。
【００２９】
また、二重管を一定の長さの間で短くする、または長くすることができる伸縮自在管の構成としたことにより同様の効果のある換気装置を提供できる。
【００３０】
また、室内側の給気経路の給気口に給気フィルターを備え、室内側の排気経路の排気口に排気フィルターを備えたことにより同様の効果のある換気装置を提供できる。
【００３１】
また、給気駆動用モータと排気駆動用モータの別々の電気配線を連結する接合部を換気装置の本体内部に設けたことにより同様の効果のある換気装置を提供できる。
【００３２】
また、外気温度を検知する外気温検知手段と室内温度を検知する室内温検知手段とを備え、前記外気温検知手段と前記室内温検知手段から検出した外気温度と室内温度を読み取り運転条件を制御する制御部を備え、外気温度が定められた基準温度以上であり、外気温度が室内温度よりも所定の温度以上低い場合は、外気を取り込む給気部の風量を増加させる構成としたことにより同様の効果のある換気装置を提供できる。
【００３３】
また、外気温度を検知する外気温検知手段と室内温度を検知する室内温検知手段とを備え、前記外気温検知手段と前記室内温検知手段から検出した外気温度と室内温度を読み取り運転条件を制御する制御部を備え、外気温度が定められた基準温度以下であり、外気温度が室内温度よりも所定の温度以上高い場合は、外気を取り込む給気部の風量を増加させる構成としたことにより同様の効果のある換気装置を提供できる。
【００３４】
また、室内の臭いを検知する臭いセンサを備え、臭いの度合いを読み取り運転条件を制御する制御部を備え、一定値以上の臭いの度合いを読み取った場合は、排気部の風量を増加させる構成としたことにより同様の効果のある換気装置を提供できる。
【００３５】
また、室内に在籍する人を検知する人感センサを備え、前記人感センサからの信号を受けて、人の在席により運転条件を制御する制御部を備え、人の在席を確認できた場合にのみ、排気部または給気部の風量を増加させる構成としたことにより同様の効果のある換気装置を提供できる。
【００３６】
また、周囲の明るさを検知する照度センサを備え、部屋の明るさを検知することで運転条件を制御する制御部を備え、一定値以上周囲が暗くなった場合にのみ、給気部の風量を増加させる構成としたことにより同様の効果のある換気装置を提供できる。
【発明を実施するための最良の形態】
【００３７】
本発明の請求項１記載の発明は、室内外を連通させる円筒状の開口部に室内側から挿入して装着する円筒状の風洞を備え、前記風洞内に給気経路と排気経路を備え、前記給気経路の中に給気羽根車を備え、前記排気経路または前記給気経路のどちらかに前記給気羽根車を回転させる給気駆動用モータを備えて、更に前記排気経路の中に排気羽根車と前記排気経路または前記給気経路のどちらかに排気駆動用モータを備えて、同時に給気と排気を行うことができるものであり、給気と排気を同時に満足できる換気機能をダクトの中に埋め込むことで、室内側の寸法を小さく、かつ薄くすることができるとともに、施工を簡易にすることができるという作用を有する。
【００３８】
本発明の請求項２記載の発明は、給気羽根車と排気羽根車の回転の中心軸が同軸となるものであり、中心軸が同軸になっていなければ、必要以上にダクトを大きくする必要があるため適切でなく、壁の穴あけを最小限の穴開けとすることができるという作用を有する。
【００３９】
本発明の請求項３記載の発明は、風洞内を二重管の構成となるように外周風路と内周風路に分割して、前記外周風路を通風する風量を前記内周風路を通風する風量と同等以上にしたものであり、外周風路を利用して、常時換気量よりも大きな風量を給気または排気のどちらか一方を実施することができるという作用を有する。
【００４０】
本発明の請求項４記載の発明は、給気部と排気部のうち、少なくとも一方は送風量を可変することができるものであり、外周風路を利用して、常時換気量よりも大きな風量を給気または排気のどちらか一方を実施することができるという作用を有する。
【００４１】
本発明の請求項５記載の発明は、室内側の給気経路の給気口と室内側の排気経路の排気口の空気の流入方向が直交する構成とし、給気と排気の短絡を防ぐ構成としたものであり、給気と排気の有効な換気量を得ることができるという作用を有する。
【００４２】
本発明の請求項６記載の発明は、壁面が換気装置よりも厚い場合は、前記換気装置の室外側には、円筒状の開口部に挿入する外側の外風路を外周管と内周管で形成し、内側の内風路を前記内周管で形成した二重管を装着して延長する構成としたものであり、壁の厚みが異なるいろいろな住居に設置ができるという作用を有する。
【００４３】
本発明の請求項７記載の発明は、二重管を一定の長さの間で短くする、または長くすることができる伸縮自在管の構成としたものであり、壁の厚みが異なるいろいろな住居に設置ができるという作用を有する。
【００４４】
本発明の請求項８記載の発明は、室内側の給気経路の給気口に給気フィルターを備え、室内側の排気経路の排気口に排気フィルターを備えたものであり、室外側の粉塵や花粉を防ぎ、室内側からの埃や異物を除去できるという作用を有する。
【００４５】
本発明の請求項９記載の発明は、給気駆動用モータと排気駆動用モータのそれぞれの電気配線を連結する接合部を換気装置の本体内部に設けたものであり、施工業者の電気配線を簡便にすることができるという作用を有する。
【００４６】
本発明の請求項１０記載の発明は、外気温度を検知する外気温検知手段と室内温度を検知する室内温検知手段とを備え、前記外気温検知手段と前記室内温検知手段から検出した外気温度と室内温度を読み取り運転条件を制御する制御部を備え、外気温度が定められた基準温度以上であり、外気温度が室内温度よりも所定の温度以上低い場合は、外気を取り込む給気部の風量を増加させる構成としたものであり、暑いときに省エネをすることができるという作用を有する。
【００４７】
本発明の請求項１１記載の発明は、外気温度を検知する外気温検知手段と室内温度を検知する室内温検知手段とを備え、前記外気温検知手段と前記室内温検知手段から検出した外気温度と室内温度を読み取り運転条件を制御する制御部を備え、外気温度が定められた基準温度以下であり、外気温度が室内温度よりも所定の温度以上高い場合は、外気を取り込む給気部の風量を増加させる構成としたものであり、寒いときに省エネをすることができるという作用を有する。
【００４８】
本発明の請求項１２記載の発明は、室内の臭いを検知する臭いセンサを備え、臭いの度合いを読み取り運転条件を制御する制御部を備え、一定値以上の臭いの度合いを読み取った場合は、排気部の風量を増加させる構成としたものであり、臭いを適切に減らすことができるという作用を有する。
【００４９】
本発明の請求項１３記載の発明は、室内に在籍する人を検知する人感センサを備え、前記人感センサからの信号を受けて、人の在席により運転条件を制御する制御部を備え、人の在席を確認できた場合にのみ、排気部または給気部の風量を増加させる構成としたものであり、必要なときだけ排気部または給気部の風量を増加することができるという作用を有する。
【００５０】
本発明の請求項１４記載の発明は、周囲の明るさを検知する照度センサを備え、部屋の明るさを検知することで運転条件を制御する制御部を備え、一定値以上周囲が暗くなった場合にのみ、給気部の風量を増加させる構成としたものであり、必要なときだけ給気部の風量を増加することができるという作用を有する。
【００５１】
以下、本発明の実施の形態について図面を参照しながら説明する。
【００５２】
（実施の形態１）
図１は本発明の実施の形態１の換気装置の構成を示す斜視断面図、図２は本発明の実施の形態１の換気装置の構成を示す側面断面図、図３は本発明の実施の形態１の換気装置の構成を示す分解斜視図、図４は本発明の実施の形態１の換気装置に使用するスライドパイプの斜視断面図、図５は本発明の実施の形態１の換気装置の構成を示す側面図である。
【００５３】
図１から図５に示すように、室内と室外を連通するようにＶＵ管の呼び径１５０相当のパイプが挿入できる円筒状の開口部２８を壁面に貫通するように開け、室内側から挿入して装着する換気装置１を設けている。円筒状の開口部２８は壁を貫通して備えられている。
【００５４】
換気装置１は、外郭２を構成する風洞３とこの風洞３内で２種類の羽根車とこの２種類の羽根車を各々回転させる２種類の駆動用モータにより換気機能を果たす構成となっている。換気装置１は、１例として、直径約８０ｍｍ相当の内周風路４を構成する入口内側風洞５を持ち、内周風路４の内側にプロペラファンまたはターボファンの形状をした排気羽根車６を設置している。排気羽根車６を常時換気の排気量を満足するように回転の中心軸７で連結された排気駆動用モータ８を設けている。また排気羽根車６と回転の中心軸７が同一で、かつ排気羽根車６よりも直径が大きい給気羽根車９を排気羽根車６と排気駆動用モータ８よりも室外側に設置している。給気羽根車９のボス部１０の内周側は連通する空洞となっており、排気羽根車６によって排気される空気を通過できる構成となっている。
【００５５】
給気羽根車９のボス部１０は内周風路４の直径相当となっており、内周風路４を構成する入口内側風洞５の端部と給気羽根車９のボス部１０の端部は、１例として、１から３ｍｍ相当の空間が開いており、内周風路４を通過する排気空気と外郭２を構成する風洞３と一体となった外周風路１１を通過する給気空気が混ざりにくく、かつ給気羽根車９が回転時に内周風路４に接触しないように構成されている。給気羽根車９は常時換気の風量を満足するとともに、更に風量を増大することができるように設定された給気駆動用モータ１２を設けている。
【００５６】
給気駆動用モータ１２は室外側に設置されており、その外周を内周風路４と外周風路１１を分離する出口内側風洞１３を備え、壁面が換気装置１の埋込部の厚みよりも厚い場合は、円筒状の開口部２８に挿入する外側の外周風路１１を外周管１４と内周管１５で形成し、内側の内周風路４を内周管１５で形成した二重管１６を装着して延長できる構成となっている。二重管１６は一定の長さの間で短くしたり長くしたりすることができるように伸縮自在管であるスライドパイプ１７の構成となっており、壁面の厚みにあわせて適切にスライドパイプ１７の一部をスライドさせて長さを調節して設置する構成となっている。
【００５７】
室内へ給気をする場合に、給気の流入方向と排気の排出方向が直交する構成となるように、室内側の給気経路の給気口１８と室内側の排気経路の排気口１９の空気の流入方向が直交する構成とし、排気の排出を壁面に設置した換気装置１の中央部から行う構成として、給気と排気の短絡を防ぐようになっている。
【００５８】
室内側には、屋外の空気を流入するときに、外気のほこりや花粉などを除去する給気フィルター２０と室内の異物を混入して排気羽根車６を破損しないために排気フィルター２１を設置する構成になっている。給気フィルター２０と排気フィルター２１はともに、室内側から簡単に取り外すことができ、メンテナンスが容易にできるようになっている。
【００５９】
給気駆動用モータ１２と排気駆動用モータ８は別々の電気配線となっているが、施工時に簡単に配線できるように給気駆動用モータ１２と排気駆動用モータ８のそれぞれの電気配線を連結する接合部を換気装置１の本体内部に設けている。これにより室内側の電気配線は一つのコンセントのみで実施することができる。
【００６０】
つぎに、本実施の形態１における動作を説明する。換気装置１は、住宅の壁面に設置されており、住宅の常時換気を行うため、風洞３の中の内周風路４を使って、排気羽根車６と排気駆動用モータ８を動作させて、室内側にある排気口１９から室内の空気が排気され、室内にある有害物質（一例としてホルムアルデヒド）を室外に排出して、居住する人の健康を維持するものである。また、外周風路１１を使って、給気羽根車９と給気駆動用モータ１２を動作させて、室外の空気を室内側にある給気口１８から給入する。これにより給気と排気の風量のバランスをとり、室内と室外の静圧差が生じないようにして、部屋の状況により換気が不十分になることを防ぐものである。ここで、外周風路１１は、内周風路４に比較して断面積が大きいので、給気羽根車９と給気駆動用モータ１２の回転速度を向上して、外周風路１１を通過する風量を増加することができる。
【００６１】
（実施の形態２）
図６は本発明の実施の形態２の換気装置の構成を示す斜視断面図、図７は本発明の実施の形態２の換気装置の構成を示す側面図である。図６および７において、図１から図５と同じ構成要素については同じ符号を用い、説明を省略する。
【００６２】
図６および図７に示すように、換気装置１は、１例として、直径約８０ｍｍ相当の内周風路４を構成する入口内側風洞５を持ち、内周風路４の内側にプロペラファンまたはターボファンの形状をした給気羽根車９を設置している。給気羽根車９を常時換気の排気量を満足するように回転の中心軸７で連結された給気駆動用モータ１２を設けている。また給気羽根車９と回転の中心軸７が同一で、かつ給気羽根車９よりも直径が大きい排気羽根車６を給気羽根車９と給気駆動用モータ１２よりも室外側に設置している。排気羽根車６のボス部１０の内周側は連通する空洞となっており、給気羽根車９によって排気される空気を通過できる構成となっている。排気羽根車６のボス部１０は内周風路４の直径相当となっており、内周風路４を構成する入口内側風洞５の端部と排気羽根車６のボス部１０の端部は、１例として、１から３ｍｍ相当の空間が開いており、内周風路４を通過する排気空気と外郭２を構成する風洞３と一体となった外周風路１１を通過する排気空気が混ざりにくく、かつ排気羽根車６が回転時に内周風路４に接触しないように構成されている。排気羽根車６は常時換気の風量を満足するとともに、更に風量を増大することができるように設定された排気駆動用モータ８を設けている。
【００６３】
給気部から室内へ給気をする場合に、給気の流入方向と排気の排出方向が直交する構成となるように、室内側の給気経路の給気口１８と室内側の排気経路の排気口１９の空気の流入方向が直交する構成とし、給気の流入を壁面に設置した換気装置１の中央部から行う構成として、給気と排気の短絡を防ぐようになっている。
【００６４】
つぎに、本実施の形態１における動作を説明する。換気装置１は、住宅の壁面に設置されており、住宅の常時換気を行うため、風洞３の中の外周風路１１を使って、排気羽根車６と排気駆動用モータ８を動作させて、室内側にある排気口１９から室内の空気が排気され、室内にある有害物質（一例としてホルムアルデヒド）を室外に排出して、居住する人の健康を維持するものである。また、内周風路４を使って、給気羽根車９と給気駆動用モータ１２を動作させて、室外の空気を室内側にある給気口１８から給入する。これにより給気と排気の風量のバランスをとり、室内と室外の静圧差が生じないようにして、部屋の状況により換気が不十分になることを防ぐものである。ここで、外周風路１１は、内周風路４に比較して断面積が大きいので、排気羽根車６と排気駆動用モータ８の回転速度を向上して、外周風路１１を通過する風量を増加することができる。
【００６５】
（実施の形態３）
図８は本発明の実施の形態３の換気装置の構成を示す斜視断面図である。図８において、図１から図７と同じ構成要素については同じ符号を用い、説明を省略する。
【００６６】
図８に示すように、外気温度を検知する外気温検知手段としての外気検知サーミスタ２２と室内温度を検知する室内温検知手段としての室内検知サーミスタ２３とを備え、外気検知サーミスタ２２と室内検知サーミスタ２３から検出した外気温度と室内温度を読み取り運転条件を制御する制御部２４を備え、外気温度が定められた基準温度、例えば１６℃以上であり、外気温度が室内温度よりも所定の温度、例えば２Ｋ以上低い場合は、外気を取り込む給気部の風量を増加させる構成としたものである。
【００６７】
換気装置１は、通常は常時換気を行い、給気と排気量をほぼ同等にして運転している。しかし例えば夜間に空気調和機を運転して就寝した場合に、室外の温度が空気調和機の設定温度以下になった場合でも、現状では空気調和機が運転能力を低下する、または停止するが、外気を積極的に取り入れることで、より効果的に省エネを実現することができる。
【００６８】
なお、外気温検知手段と室内温検知手段は、室外温度と室内温度を測定でき、測定精度や耐久性を考慮すれば、その他手段での温度検知でも良い。
【００６９】
（実施の形態４）
図９は本発明の実施の形態４の換気装置の構成を示す斜視断面図である。図９において、図１から図８と同じ構成要素については同じ符号を用い、説明を省略する。
【００７０】
図９に示すように、外気温度を検知する外気検知サーミスタ２２と室内温度を検知する室内検知サーミスタ２３とを備え、外気検知サーミスタ２２と室内検知サーミスタ２３から検出した外気温度と室内温度を読み取り運転条件を制御する制御部２４を備え、外気温度が定められた基準温度、例えば２２℃以下であり、外気温度が室内温度よりも所定の温度、例えば２Ｋ以上以上高い場合は、外気を取り込む給気部の風量を増加させる構成としたものである。
【００７１】
（実施の形態５）
図１０は本発明の実施の形態５の換気装置の構成を示す斜視断面図である。図１０において、図１から図９と同じ構成要素については同じ符号を用い、説明を省略する。
【００７２】
図１０に示すように、室内の臭いを検知する臭いセンサ２５を備え、臭いの度合いを読み取り運転条件を制御する制御部２４を備え、一定値以上の臭いの度合いを読み取った場合は、排気部の風量を増加させる構成としたものである。
【００７３】
（実施の形態６）
図１１は本発明の実施の形態６の換気装置の構成を示す斜視断面図である。図１１において、図１から図１０と同じ構成要素については同じ符号を用い、説明を省略する。
【００７４】
図１１に示すように、室内に在籍する人を検知する人感センサ２６を備え、人の在席により運転条件を制御する制御部２４を備え、人から放射される熱線の量の変化を検知して、人が在席している場合は、排気部または給気部の風量を増加させる構成としたものである。
【００７５】
（実施の形態７）
図１２は本発明の実施の形態７の換気装置の構成を示す斜視断面図である。図１２において、図１から図１１と同じ構成要素については同じ符号を用い、説明を省略する。
【００７６】
図１２に示すように、周囲の明るさを検知する照度センサ２７を備え、部屋の明るさを検知することで運転条件を制御する制御部２４を備え、一定値以上周囲が暗くなった場合にのみ、給気部の風量を増加させる構成としたものである。
【産業上の利用可能性】
【００７７】
熱交換素子を用いて容易に熱交換機能を持たすことができ、換気装置の室内側に熱交換素子を取付けることにより、省スペースで省エネ効果のある熱交換換気扇の用途にも適用できる。
【図面の簡単な説明】
【００７８】
【図１】本発明の実施の形態１の換気装置の構成を示す斜視断面図
【図２】本発明の実施の形態１の換気装置の構成を示す側面断面図
【図３】本発明の実施の形態１の換気装置の構成を示す分解斜視図
【図４】本発明の実施の形態１の換気装置に使用するスライドパイプの斜視断面図
【図５】本発明の実施の形態１の換気装置の構成を示す側面図
【図６】本発明の実施の形態２の換気装置の構成を示す斜視断面図
【図７】本発明の実施の形態２の換気装置の構成を示す側面図
【図８】本発明の実施の形態３の換気装置の構成を示す斜視断面図
【図９】本発明の実施の形態４の換気装置の構成を示す斜視断面図
【図１０】本発明の実施の形態５の換気装置の構成を示す斜視断面図
【図１１】本発明の実施の形態６の換気装置の構成を示す斜視断面図
【図１２】本発明の実施の形態７の換気装置の構成を示す斜視断面図
【図１３】従来の給排同時換気装置の斜視分解図
【符号の説明】
【００７９】
１    換気装置
２    外郭
３    風洞
４    内周風路
５    入口内側風洞
６    排気羽根車
７    中心軸
８    排気駆動用モータ
９    給気羽根車
１０  ボス部
１１  外周風路
１２  給気駆動用モータ
１３  出口内側風洞
１４  外周管
１５  内周管
１６  二重管
１７  スライドパイプ
１８  給気口
１９  排気口
２０  給気フィルター
２１  排気フィルター
２２  外気検知サーミスタ
２３  室内検知サーミスタ
２４  制御部
２５  臭いセンサ
２６  人感センサ
２７  照度センサ
２８  開口部
【図１】
2008151407.tif 000003
【図２】
2008151407.tif 000004
【図３】
2008151407.tif 000005
【図４】
2008151407.tif 000006
【図５】
2008151407.tif 000007
【図６】
2008151407.tif 000008
【図７】
2008151407.tif 000009
【図８】
2008151407.tif 000010
【図９】
2008151407.tif 000011
【図１０】
2008151407.tif 000012
【図１１】
2008151407.tif 000013
【図１２】
2008151407.tif 000014
【図１３】
2008151407.tif 000015